(57)【要約】【課題】ハウジング内部のパーティクルに対するフィルタリング効率および温度特性を向上させることの可能なハードディスクドライブを提供する。【解決手段】本発明のハードディスクドライブは、ベース部材１１１およびカバー部材１１２からなるハウジング１１０と、ベース部材１１１上に設けられたスピンドルモータ１３０と、スピンドルモータ１３０に装着されたディスク１２０と、ベース部材１１１上に回動可能に設けられ、ディスク１２０の読み取り／書き込みヘッドを有するアクチュエータ１４０と、ハウジング１１０内部に設けられ、ディスク１２０の回転により発生した流動空気を上下方向に移動させて、ハウジング１１０内部での空気の上下方向の循環を発生させる空気循環装置とを備える。空気循環装置により、ハウジング１１０内部の空気が円滑に循環されるので、ハウジング１１０内部のパーティクルに対するフィルタリング効率および温度特性が向上する。【選択図】図１
2007012260.tif 000002
【特許請求の範囲】
【請求項１】
ベース部材およびカバー部材からなるハウジングと、
前記ベース部材上に設けられたスピンドルモータと、
前記スピンドルモータに装着されたディスクと、
前記ベース部材上に回動可能に設けられ、前記ディスクにデータを記録し、前記ディスクからデータを再生するための読み取り／書き込みヘッドを有するアクチュエータと、
前記ハウジングの内部に設けられ、前記ディスクの回転により発生した流動空気を上下方向に移動させることによって、前記ハウジングの内部の空気を上下方向に循環させる空気循環装置と、
を備えることを特徴とする、ハードディスクドライブ。
【請求項２】
前記空気循環装置は、前記ディスクの周りに、前記ディスクの外周部と隣接するように設けられることを特徴とする、請求項１に記載のハードディスクドライブ。
【請求項３】
前記空気循環装置は、前記ディスクの中心を基準に前記アクチュエータの反対側に設けられることを特徴とする、請求項１または２に記載のハードディスクドライブ。
【請求項４】
前記空気循環装置は、
前記ディスクの下部側の空気を前記ディスクの上部側に移動させる空気上昇部材と、前記ディスクの上部側の空気を前記ディスクの下部側に移動させる空気下降部材とのうち、少なくとも一つを備えることを特徴とする、請求項１〜３のいずれかに記載のハードディスクドライブ。
【請求項５】
前記アクチュエータから最も離れて位置する、前記ハウジングの二つのコーナー部のうち、少なくとも一つのコーナー部には、前記空気上昇部材が設けられることを特徴とする、請求項４に記載のハードディスクドライブ。
【請求項６】
前記アクチュエータから最も離れて位置する、前記ハウジングの二つのコーナー部のうち、少なくとも一つのコーナー部には、前記空気下降部材が設けられることを特徴とする、請求項４に記載のハードディスクドライブ。
【請求項７】
前記アクチュエータから最も離れて位置する、前記ハウジングの二つのコーナー部のうち、いずれか一つのコーナー部に前記空気上昇部材が設けられ、他の一つのコーナー部に前記空気下降部材が設けられることを特徴とする、請求項４に記載のハードディスクドライブ。
【請求項８】
前記空気上昇部材は、前記ハウジングと別途の部材で形成され、前記ベース部材の上面に設けられることを特徴とする、請求項４〜７のいずれかに記載のハードディスクドライブ。
【請求項９】
前記空気上昇部材は、前記ベース部材と一体に形成されることを特徴とする、請求項４〜７のいずれかに記載のハードディスクドライブ。
【請求項１０】
前記空気下降部材は、前記ハウジングと別途の部材で形成され、前記カバー部材の底面に設けられることを特徴とする、請求項４〜７のいずれかに記載のハードディスクドライブ。
【請求項１１】
前記空気下降部材は、前記カバー部材と一体に形成されることを特徴とする、請求項４〜７のいずれかに記載のハードディスクドライブ。
【請求項１２】
前記空気上昇部材は、空気の上昇をガイドする空気ガイド面を有し、
前記空気ガイド面の空気流入端は、前記ディスクの下側に位置し、
前記空気ガイド面の空気排出端は、前記ディスクの上側に位置することを特徴とする、請求項４〜１１のいずれかに記載のハードディスクドライブ。
【請求項１３】
前記空気上昇部材の前記空気ガイド面の空気流入端と前記ディスクの底面との間隔は、前記ベース部材の上面と前記ディスクの底面との間隔の１／２より大きく、
前記空気上昇部材の前記空気ガイド面の空気排出端と前記ディスクの上面との間隔は、前記カバー部材の底面と前記ディスクの上面との間隔の１／２より大きいことを特徴とする、請求項１２に記載のハードディスクドライブ。
【請求項１４】
前記空気ガイド面は、前記ディスクの円周方向に沿って、所定の角度で傾斜した形状を有することを特徴とする、請求項１２または１３に記載のハードディスクドライブ。
【請求項１５】
前記空気ガイド面は、曲面形状を有することを特徴とする、請求項１２または１３に記載のハードディスクドライブ。
【請求項１６】
前記空気ガイド面は、流線型の形状を有することを特徴とする、請求項１２または１３に記載のハードディスクドライブ。
【請求項１７】
前記空気下降部材は、空気の下降をガイドする空気ガイド面を有し、
前記空気ガイド面の空気流入端は、前記ディスクの上側に位置し、
前記空気ガイド面の空気排出端は、前記ディスクの下側に位置することを特徴とする、請求項４〜１１のいずれかに記載のハードディスクドライブ。
【請求項１８】
前記空気下降部材の前記空気ガイド面の空気流入端と前記ディスクの上面との間隔は、前記カバー部材の底面と前記ディスクの上面との間隔の１／２より大きく、
前記空気下降部材の前記空気ガイド面の空気排出端と前記ディスクの底面との間隔は、前記ベース部材の上面と前記ディスクの底面との間隔の１／２より大きいことを特徴とする、請求項１７に記載のハードディスクドライブ。
【請求項１９】
前記空気ガイド面は、前記ディスクの円周方向に沿って、所定の角度で傾斜した形状を有することを特徴とする、請求項１７または１８に記載のハードディスクドライブ。
【請求項２０】
前記空気ガイド面は、曲面形状を有することを特徴とする、請求項１７または１８に記載のハードディスクドライブ。
【請求項２１】
前記空気ガイド面は、流線型の形状を有することを特徴とする、請求項１７または１８に記載のハードディスクドライブ。
【請求項２２】
ハウジングと、
前記ハウジングの内部に配置されたハードディスク組立体と、
前記ハウジングの内側壁に配置され、前記ハウジング内で空気を垂直方向にガイドする、所定の表面を有する空気循環装置と、
を備えることを特徴とする、記憶装置。
【請求項２３】
前記空気循環装置は、
前記ハウジングの上部に設けられ、第１の水平方向の空気の流れを下方向の空気の流れに変換する第１空気循環装置と、
前記ハウジングの下部に設けられ、第２の水平方向の空気の流れを上方向の空気の流れに変換する第２空気循環装置と、
を備えることを特徴とする、請求項２２に記載の記憶装置。
【請求項２４】
前記空気循環装置は、
前記ハウジングの上部に設けられ、第１水平方向の空気の流れを下方向の空気の流れに変換する第１空気循環装置と、
前記ハウジングの下部に設けられ、第２水平方向の空気の流れを上方向の空気の流れに変換させる第２空気循環装置と、
を備えることを特徴とする、請求項２２に記載の記憶装置。
【請求項２５】
前記空気循環装置は、前記ハウジングのコーナー部に設けられ、所定の曲率半径を有し、前記ハウジングのコーナー部に対して湾曲していることを特徴とする、請求項２２に記載の記憶装置。
【請求項２６】
前記ハウジングの上部に設けられ、前記空気循環装置により前記ハウジングの下部側から上部側へ移動する空気をフィルタリングする、少なくとも一つのフィルタをさらに備えることを特徴とする、請求項２２に記載の記憶装置。
【請求項２７】
前記ハードディスク組立体は、
前記ハウジングの中心部に回転するように設けられたディスクと、
前記ハウジングの内部に、前記ディスクの中心を基準に前記空気循環装置の反対側に設けられ、前記ディスクに対してヘッドを移動させるアクチュエータと、
を備えることを特徴とする、請求項２２に記載の記憶装置。
【請求項２８】
前記ハードディスク組立体は、前記ハウジングの内部に回転するように設けられ、水平方向の空気の流れを発生させるディスクを備え、
前記空気循環装置は、前記水平方向の空気の流れの一部を垂直方向の空気の流れに変換させることを特徴とする、請求項２２に記載の記憶装置。
【発明の詳細な説明】
【技術分野】
【０００１】
本発明は、ハードディスクドライブ（Ｈａｒｄ  Ｄｉｓｋ  Ｄｒｉｖｅ；以下、「ＨＤＤ」とする。）および記憶装置にかかり、より詳細には、空気循環装置を備えたＨＤＤおよび記憶装置に関する。
【背景技術】
【０００２】
コンピュータの情報記録装置の一つであるＨＤＤは、読み取り／書き込みヘッドを使用してディスクにデータを記録したり、ディスクからデータを再生する装置である。
【０００３】
従来のＨＤＤは、ベース部材およびカバー部材からなるハウジングと、ベース部材上に設置されたスピンドルモータと、スピンドルモータに固設された一つまたはそれ以上のデータ保存用ディスクと、データの再生および記録のための読み取り／書き込みヘッドをディスク上の所定位置に移動させるためのアクチュエータと、を備えている。ヘッドは、回転するディスクの記録面から所定高さ浮上した状態で、アクチュエータにより所望の位置に移動しつつ、その機能を行う。
【０００４】
このような構成を有するＨＤＤにおいて、ディスクが回転すれば、ハウジングの内部には空気流動が発生する。このような流動空気がハウジングの内部を循環することにより、ハウジングの内部のパーティクルも流動空気によって循環しつつ、ハウジングの内部の所定位置に設置されたフィルタによってフィルタリングされる。
【０００５】
一方、ＨＤＤのベース部材の底面には、スピンドルモータおよびアクチュエータなどを作動させるための印刷回路基板が設置される。印刷回路基板には、複数の回路素子が実装され、この回路素子から発生する熱は、ベース部材を通じてハウジングの内部に伝えられる。このように、ハウジングの内部に伝えられた熱は、上記のように、ハウジングの内部で循環する空気によってハウジングの内部全体に均一に広がる。
【０００６】
従来の３．５インチまたは２．５インチのＨＤＤにおいては、ハウジングの内部の空間が比較的に広いので、上記のようなハウジングの内部での空気循環が円滑に行われる。
【０００７】
【特許文献１】特開２０００−３２２８７０号公報
【発明の開示】
【発明が解決しようとする課題】
【０００８】
ところが、１インチ以下の小型のＨＤＤにおいては、ディスクとベース部材との間、およびディスクとカバー部材との間隔が狭く、ここでの空気の流動が層流となる。これは、空気の流動によるディスクの振動を減少させるという点で有利であるが、ディスクの上部と下部との間の交差流動がほとんどないという短所がある。これにより、図８（ａ）のように、ディスクの下部で流動する空気は、ディスクの上部にはほとんど移動せず、ディスクの下部に留まり、ディスクの上部で流動する空気も同様である。すなわち、小型のＨＤＤにおいては、ハウジングの内部での空気の上下方向の循環がほとんど行われないという問題点がある。
【０００９】
小型のＨＤＤにおいては、一般的に、パーティクルを捕集するためのフィルタがカバー部材の底面に付着されている。この場合、上記のように、ハウジングの内部での空気の循環が円滑でなければ、ディスクの下部の空気がディスクの上部に流入され難くなるので、ディスクの下部で流動する空気に含まれたパーティクルに対するフィルタリングがほとんど行われない。したがって、ハウジングの内部のスピンドルモータ、ディスクおよびアクチュエータなどがパーティクルにより汚染されやすく、その性能が低下するという問題点がある。
【００１０】
そして、ベース部材の底面に設置された印刷回路基板から伝えられた熱がディスクの下部にのみ滞留するので、部分的な温度の上昇によりＨＤＤの信頼性が低下するという問題点もある。
【００１１】
そこで、本発明は、上記問題に鑑みてなされたものであり、本発明の目的とするところは、ハウジングの内部のパーティクルに対するフィルタリング効率および温度特性を向上させることの可能な、新規かつ改良された空気循環装置を備えたＨＤＤを提供することにある。
【課題を解決するための手段】
【００１２】
上記課題を解決するために、本発明のある観点によれば、ベース部材およびカバー部材からなるハウジングと、ベース部材上に設けられたスピンドルモータと、スピンドルモータに装着されたデータ保存用のディスクと、ベース部材上に回動可能に設けられ、ディスクにデータを記録し、前記ディスクからデータを再生するための読み取り／書き込みヘッドを有するアクチュエータと、ハウジングの内部に設けられ、ディスクの回転により発生した流動空気を上下方向に移動させることによって、ハウジングの内部の空気を上下方向に循環させる空気循環装置と、を備えるＨＤＤが提供される。
【００１３】
本発明によれば、ハウジングの内部、ディスクの上側の空気とディスクの下側の空気とを上下方向に循環させる空気循環装置を備えることを特徴とする。これにより、ＨＤＤ内部の空気を円滑に循環させることができ、ハウジングの内部のパーティクルに対するフィルタリング効率および温度特性を向上させることができる。
【００１４】
ここで、空気循環装置は、前記ディスクの周りに、前記ディスクの外周部と隣接するように設けられることが望ましい。そして、空気循環装置は、ディスクの中心を基準に前記アクチュエータの反対側に設けられることがさらに望ましい。
【００１５】
また、空気循環装置は、ディスクの下部側の空気をディスクの上部側に移動させる空気上昇部材と、ディスクの上部側の空気をディスクの下部側に移動させる空気下降部材とのうち、少なくとも一つを備えるように構成することができる。このとき、アクチュエータから最も離れて位置する、ハウジングの二つのコーナー部のうち、少なくとも一つのコーナー部に、空気上昇部材を設けるようにしてもよく、または空気下降部材を設けるようにしてもよい。または、アクチュエータから最も離れて位置する、ハウジングの二つのコーナー部のうち、いずれか一つのコーナー部に空気上昇部材を設け、他の一つのコーナー部に空気下降部材を設けるようにすることもできる。
【００１６】
さらに、空気上昇部材は、ハウジングと別途の部材で形成してもよい。このとき、空気上昇部材は、ベース部材の上面に付着させることができる。または、空気上昇部材は、ベース部材と一体に形成することもできる。空気下降部材も同様に、ハウジングと別途の部材で形成してもよい。このとき、空気下降部材は、カバー部材の底面に付着させることができる。または、空気下降部材は、カバー部材と一体に形成することもできる。
【００１７】
また、本発明において、空気上昇部材は、空気の上昇をガイドする空気ガイド面を有し、空気ガイド面の空気流入端は、ディスクの下側に位置し、その空気排出端は、ディスクの上側に位置させることができる。この場合、空気上昇部材の空気ガイド面の空気流入端とディスクの底面との間隔は、ベース部材の上面とディスクの底面との間隔の１／２より大きく、空気ガイド面の空気排出端とディスクの上面との間隔は、カバー部材の底面とディスクの上面との間隔の１／２より大きいことが望ましい。
【００１８】
また、本発明において、空気下降部材は、空気の下降をガイドする空気ガイド面を有し、空気ガイド面の空気流入端は、ディスクの上側に位置し、その空気排出端は、ディスクの下側に位置できる。この場合、空気下降部材の空気ガイド面の空気流入端とディスクの上面との間隔は、カバー部材の底面とディスクの上面との間隔の１／２より大きく、空気ガイド面の空気排出端とディスクの底面との間隔は、ベース部材の上面とディスクの底面との間隔の１／２より大きいことが望ましい。
【００１９】
ここで、空気ガイド面は、ディスクの円周方向に沿って、所定の角度で傾斜した形状や、曲面形状、流線型の形状等を有するように形成することができる。
【００２０】
また、本発明の他の観点によれば、ハウジングと、ハウジングの内部に配置されたハードディスク組立体と、ハウジングの内側壁に配置され、ハウジング内で空気を垂直方向にガイドする所定の表面を有する空気循環装置と、を備えることを特徴とする記憶装置が提供される。
【００２１】
本発明によれば、空気循環装置によりディスクの下部または上部の空気がディスクの上部または下部に容易に移動して、ハウジングの内部の空気がさらに円滑に循環できるので、ハウジングの内部のパーティクルに対するフィルタリング効率および温度特性が向上する。
【００２２】
ここで、空気循環装置は、ハウジングの上部に設けられ、第１の水平方向の空気の流れを下方向の空気の流れに変換する第１空気循環装置と、ハウジングの下部に設けられ、第２の水平方向の空気の流れを上方向の空気の流れに変換する第２空気循環装置と、を備える。また、空気循環装置は、ハウジングの上部に設けられ、第１水平方向の空気の流れを下方向の空気の流れに変換する第１空気循環装置と、ハウジングの下部に設けられ、第２水平方向の空気の流れを上方向の空気の流れに変換させる第２空気循環装置と、を備えることもできる。
【００２３】
また、空気循環装置は、ハウジングのコーナー部に設けられ、所定の曲率半径を有して、ハウジングのコーナー部に対して湾曲するように構成することもできる。このとき、空気循環装置は、ディスクの外周に沿って湾曲するようにしてもよい。
【００２４】
さらに、記憶装置は、ハウジングの上部に設けられ、空気循環装置によりハウジングの下部側から上部側へ移動する空気をフィルタリングする、少なくとも一つのフィルタをさらに備えることもできる。
【００２５】
また、ハードディスク組立体は、ハウジングの中心部に回転するように設けられたディスクと、ハウジングの内部に、ディスクの中心を基準に空気循環装置の反対側に設けられ、ディスクに対してヘッドを移動させるアクチュエータと、を備える。
【００２６】
ハードディスク組立体は、ハウジングの内部に回転するように設けられ、水平方向の空気の流れを発生させるディスクを備え、空気循環装置は、水平方向の空気の流れの一部を垂直方向の空気の流れに変換させるように構成することもできる。
【発明の効果】
【００２７】
以上説明したように本発明によれば、ハウジングの内部のパーティクルに対するフィルタリング効率および温度特性を向上させることの可能な、ＨＤＤを提供することができる。
【発明を実施するための最良の形態】
【００２８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２９】
（第１の実施形態）
まず、図１〜３に基づいて、本発明の第１の実施形態にかかるＨＤＤについて説明する。なお、図１は、本発明の第１の実施形態にかかる空気循環装置を備えたＨＤＤを示す分離斜視図である。図２は、図１に示すＨＤＤの部分断面図である。図３は、図１に示す空気上昇部材を拡大して示す斜視図である。
【００３０】
図１〜図３に示すように、本実施形態にかかるＨＤＤは、ベース部材１１１およびカバー部材１１２からなるハウジング１１０と、ハウジング１１０の内部に設置されたスピンドルモータ１３０と、データ保存用のディスク１２０および読み取り／書き込みヘッドを有するアクチュエータ１４０と、ハウジング１００の内部に設置されて空気の上下方向の循環を発生させる空気循環装置と、を備える。
【００３１】
ハウジング１１０は、スピンドルモータ１３０およびアクチュエータ１４０を支持するベース部材１１１と、複数の締結スクリュー１１９によりベース部材１１１の上部に結合されて、ディスク１２０などを取り囲んで保護するカバー部材１１２とから構成される。このようなハウジング１１０は、通常、例えばステンレススチール鋼またはアルミニウム材質から製作される。また、ベース部材１１１およびカバー部材１１２は、例えば、ステンレススチール鋼板をプレス加工して作成することができる。
【００３２】
カバー部材１１２の底面には、ハウジング１１０の内部および外部の気圧を均一にするための呼吸フィルタ１１７と、ハウジング１１０の内部のパーティクルをフィルタリングするための吸着フィルタ１１８とが付着される。なお、吸着フィルタ１１８は、ハウジング１１０の内部の他の位置、例えば、ベース部材１１１の上面に付着させて設けてもよい。
【００３３】
ベース部材１１１の底面には、ＨＤＤを作動させるための印刷回路基板１６０が結合され、印刷回路基板１６０上には、複数の回路素子１６２が実装される。
【００３４】
ディスク１２０は、データ記録媒体であって、スピンドルモータ１３０に少なくとも一つが装着される。スピンドルモータ１３０は、ベース部材１１１上に設置されてディスク１２０を回転させる役割を行う。
【００３５】
アクチュエータ１４０は、ディスク１２０にデータを記録し、また、データを再生するための読み取り／書き込みヘッドをディスク１２０上の所定位置に移動させるためのものであって、ベース部材１１１上に回動可能に設置される。具体的に、アクチュエータ１４０は、ベース部材１１１に設置されたアクチュエータピボット１４１に回転可能に結合されたスイングアーム１４２と、スイングアーム１４２の一端部に結合されて、ヘッドが搭載されたスライダ１４４をディスク１２０の表面側に付勢されるように支持するサスペンション１４３と、スイングアーム１４２を回転させるためのボイスコイルモータ（Ｖｏｉｃｅ  Ｃｏｉｌ  Ｍｏｔｏｒ；以下、「ＶＣＭ」とする。）１４６と、を備える。ＶＣＭ１４６は、スイングアーム１４２の他端部に結合されるＶＣＭコイル１４７と、ＶＣＭコイル１４７と対面するように配置されたマグネット１４８と、を備える。
【００３６】
上記構成を有するＶＣＭ１４６は、サーボ制御システムにより制御され、ＶＣＭコイル１４７に入力される電流とマグネット１４８により形成された磁場との相互作用により、フレミングの左手法則による方向にスイングアーム１４２を回転させる。すなわち、ＨＤＤの電源がオンされて、ディスク１２０が矢印Ｄ方向に回転し始めれば、ＶＣＭ１４６は、スイングアーム１４２を所定方向に回転させて、読み取り／書き込みヘッドが搭載されたスライダ１４４をディスク１２０のデータ記録面上に移動させる。スライダ１４４は、回転するディスク１２０により発生する揚力によりディスク１２０の表面から所定高さほど浮上し、このような状態でスライダ１４４に搭載されたヘッドは、ディスク１２０のデータ記録面に対してデータを再生／記録する機能を行う。逆に、ＨＤＤが作動しないとき、すなわちディスク１２０の回転が停止したときには、ＶＣＭ１４６は、スイングアーム１４２を逆方向に回転させて、ヘッドが搭載されたスライダ１４４をディスク１２０のデータ記録面から逸脱させる。
【００３７】
そして、空気循環装置は、本実施形態の特徴部分であって、ハウジング１００の内部に設置されて、空気の上下方向の循環を発生させる役割を行う。具体的に説明すると、空気循環装置は、ディスク１２０の下部での流動空気、すなわち、ディスク１２０とベース部材１１１との間の流動空気をディスク１２０の上部に上昇させる空気上昇部材１５２を備える。空気上昇部材１５２は、ディスク１２０のエッジ部に隣接するように、ディスク１２０の周りに一つまたはそれ以上配置される。空気上昇部材１５２は、アクチュエータ１４０に影響を及ぼさないために、ディスク１２０の中心を基準にアクチュエータ１４０の反対側に配置されることが望ましい。例えば、図１に示すように、空気上昇部材１５２は、ハウジング１１０の四つのコーナー部のうち、アクチュエータ１４０から遠く離れた二つのコーナー部にそれぞれ配置することができる。空気上昇部材１５２は、ハウジング１１０の一つのコーナー部にのみ配置させてもよい。
【００３８】
空気上昇部材１５２は、例えば、プラスチック射出物から製造され、このように製造された空気上昇部材１５２は、接着剤を使用してベース部材１１１に接着させたり、または、スクリュー（図示せず）を使用して、ベース部材１１１に固定させることができる。
【００３９】
また、空気上昇部材１５２は、ベース部材１１１と一体に形成させてもよい。すなわち、ベース部材１１１の製造のためのステンレススチール鋼板のプレス加工時に、空気上昇部材１５２も共に成形することができる。
【００４０】
このように配置される空気上昇部材１５２は、ディスク１２０下部の流動空気をディスク１２０の上部に上昇させる空気ガイド面１５３を有する。空気ガイド面１５３の空気流入端１５４は、ディスク１２０の底面より下側に位置し、その空気排出端１５５は、ディスク１２０の上面より上側に位置する。したがって、空気ガイド面１５３は、空気流入端１５４から空気排出端１５５側に向かって上昇するように傾斜した傾斜面として形成される。
【００４１】
図２に示すように、空気ガイド面１５３の空気流入端１５４とディスク１２０の底面との間隔ＧＩは、ベース部材１１１の上面とディスク１２０の底面との間隔ＧＢの１／２より大きいことが望ましい。これは、ディスク１２０下部の流動空気を、さらに容易に空気ガイド面１５３に流入させるためである。そして、空気ガイド面１５３の空気排出端１５５とディスク１２０の上面との間隔ＧＯは、カバー部材１１２の底面とディスク１２０の上面との間隔ＧＣの１／２より大きいことが望ましい。これは、空気ガイド面１５３に沿って上昇した空気Ｆのうち、より多くの部分をディスク１２０の上部に排出させるためである。
【００４２】
図４Ａ〜図４Ｃに、本実施形態にかかる空気上昇部材１５２の空気ガイド面１５３の変形例を示す。なお、図４Ａ〜図４Ｃは、図３に表示されたＡ−Ａ線による空気上昇部材１５２の断面図であって、空気ガイド面１５３の多様な形状を示す。
【００４３】
図４Ａに示す空気上昇部材１５２の空気ガイド面１５３は、ディスク１２０の円周方向に沿って一定の角度で傾斜した形状を有する。
【００４４】
また、図４Ｂに示す空気上昇部材１５２の空気ガイド面１５３’は、曲面形状を有する。特に、図４Ｃに示すように、空気ガイド面１５３”を、流線型の形状に形成してもよい。図４Ｂおよび図４Ｃに示す空気ガイド面１５３’、１５３”は、その空気流入端１５４を通じたディスク１２０の下部空気の流入がさらに容易に行われるという長所がある。
【００４５】
なお、空気上昇部材１５２の空気ガイド面１５２、１５３’、１５３”の三つの形状を図示して説明したが、本発明の空気上昇部材１５２はかかる例に限定されず、その他多様な形状の空気ガイド面を有することができる。
【００４６】
以下では、図１〜図３を参照して、本実施形態にかかる空気循環装置の作用を説明する。
【００４７】
ディスク１２０が矢印Ｄ方向に回転し始めると、ディスク１２０の下部および上部には、ディスク１２０の回転方向と同じ方向の空気流動が発生する。このとき、ディスク１２０の下部の流動空気の一部は、空気上昇部材１５２の空気ガイド面１５３に沿って上昇し、上昇空気Ｆは、ディスク１２０の上部に排出される。空気上昇部材１５２により空気が上昇すると、ディスク１２０の上部の流動空気の圧力が高まるので、ディスク１２０の上部および下部の気圧差が発生する。このような気圧差によって、ハウジング１１０の内部の他の所では、自然的に空気の下降が行われる。
【００４８】
したがって、本実施形態にかかるＨＤＤにおいては、ディスク１２０の回転によるハウジング１１０の内部での空気の水平循環だけでなく、空気上昇部材１５２による空気の上下方向の循環も円滑に行われる。
【００４９】
このように、ハウジング１１０の内部での空気の上下方向の循環が円滑に行われると、ディスク１２０の下部の流動空気がディスク１２０の上部に容易に移動できる。したがって、ディスク１２０の下部の流動空気に含まれたパーティクルも、カバー部材１１２の底面に付着された吸着フィルタ１１８により容易にフィルタリングさせることができる。そして、ベース部材１１１の底面に設置された印刷回路基板１６０から伝えられた熱が、空気の上下方向の循環によりハウジング１１０の内部に均一に発散されるので、熱の集中によるＨＤＤの信頼性の低下を防止させることができる。
【００５０】
図８は、従来のＨＤＤと、図１に示す本実施形態にかかるＨＤＤとの内部での空気の流動に対する解析結果を比較して示す解析図であり、図８（ａ）に従来のＨＤＤの解析結果を、図８（ｂ）に本実施形態にかかるＨＤＤの解析結果を示す。かかる解析では、小型のＨＤＤにおいて、ディスクの下部の任意の地点を空気流動の開始点として仮定して、ディスクの回転による流動空気のストリームラインを説明したものである。
【００５１】
図８（ａ）に示すように、従来の小型ＨＤＤにおいては、ディスクの下部で流動する空気は、ディスクの上部にはほとんど移動せず、ディスクの下部に滞留するということが分かる。すなわち、従来の小型ＨＤＤにおいては、ハウジングの内部での空気の上下方向の循環がほとんど行われない。
【００５２】
しかし、本実施形態にかかる小型ＨＤＤにおいては、図８（ｂ）より、ディスクの下部の流動空気が、空気上昇部材によりディスクの上部に上昇して、ディスクの上部にも多くの流動空気があるということが分かる。すなわち、本実施形態によれば、ハウジング内での流動空気の上下方向の循環が円滑に行われるということが分かる。
【００５３】
以上、第１の実施形態にかかるＨＤＤについて説明した。かかるＨＤＤによれば、空気上昇部材１５２をベース部材１１１に設けることにより、ディスク１２０の上下の空気の循環を円滑にすることができる。これにより、ハウジングの内部のパーティクルに対するフィルタリング効率および温度特性を向上させることができる。
【００５４】
（第２の実施形態）
次に、図５および図６に基づいて、本発明の第２の実施形態にかかるＨＤＤについて説明する。なお、図５は、本実施形態にかかる空気循環装置を備えたＨＤＤを示す分離斜視図である。図６は、図５に示すＨＤＤの部分断面図である。
【００５５】
図５および図６に示すように、本実施形態にかかるＨＤＤに備えられる空気循環装置は、ディスク１２０の上部での流動空気、すなわち、ディスク１２０とカバー部材１１２との間の流動空気をディスク１２０の下部に下降させる空気下降部材１５６を備える。空気下降部材１５６は、ディスク１２０のエッジ部に隣接するように、ディスク１２０の周りに一つまたはそれ以上配置させることができる。空気下降部材１５６は、アクチュエータ１４０に影響を及ぼさないために、ディスク１２０の中心を基準にアクチュエータ１４０の反対側に配置されることが望ましい。例えば、図５に示すように、空気下降部材１５６は、ハウジング１１０四つのコーナー部のうち、アクチュエータ１４０から遠く離れた二つのコーナー部にそれぞれ配置される。空気下降部材１５６は、ハウジング１１０の一つのコーナー部にのみ配置させてもよい。
【００５６】
空気下降部材１５６は、プラスチック射出物から製造され、このように製造された空気下降部材１５６は、接着剤を使用してカバー部材１１２に接着させたり、スクリュー（図示せず）を使用して、カバー部材１１２に固定させることができる。
【００５７】
また、空気下降部材１５６は、カバー部材１１２と一体に形成されてもよい。すなわち、カバー部材１１２を製造するためのステンレススチール鋼板のプレス加工時に、空気下降部材１５６も共に成形させうる。
【００５８】
このように配置される空気下降部材１５６は、ディスク１２０の上部の流動空気をディスク１２０の下部に下降させる空気ガイド面１５７を有する。空気ガイド面１５７の空気流入端１５８は、ディスク１２０の上面より上側に位置し、その空気排出端１５９は、ディスク１２０の底面より下側に位置する。したがって、空気ガイド面１５７は、空気流入端１５８から空気排出端１５９側に向かいながら下がるように傾斜した傾斜面として形成される。
【００５９】
図６に示すように、空気ガイド面１５７の空気流入端１５８とディスク１２０の上面との間隔ＧＩは、カバー部材１１２の底面とディスク１２０の上面との間隔ＧＣの１／２より大きいことが望ましい。これは、ディスク１２０の上部の流動空気を、さらに容易に空気ガイド面１５７に流入させるためである。そして、空気ガイド面１５７の空気排出端１５９とディスク１２０の底面との間隔ＧＯは、ベース部材１１１の上面とディスク１２０底面との間隔ＧＢの１／２より大きいことが望ましい。これは、空気ガイド面１５７に沿って下降した空気Ｆのうち、より多くの部分をディスク１２０の下部に排出させるためである。
【００６０】
そして、本実施形態にかかる空気下降部材１５６の空気ガイド面１５７も、図４Ａ〜図４Ｃに示すような多様な形状とすることができる。
【００６１】
本実施形態にかかるＨＤＤにおいて、ディスク１２０の回転により発生したディスク１２０の上部の流動空気の一部は、空気下降部材１５６の空気ガイド面１５７に沿って下降し、下降空気Ｆは、ディスク１２０の下部に排出される。空気下降部材１５６により空気が下降しつつ発生するディスク１２０の上部と下部との気圧差により、ハウジング１１０の内部の他の部分では、自然に空気を上昇させることができる。
【００６２】
以上、第２の実施形態にかかるＨＨＤについて説明した。第２の実施形態によれば、カバー部材１１２に空気下降部材１５６を備えることにより、ハウジング１１０の内部での空気の上下方向の循環が円滑に行われるようにすることができる。
【００６３】
（第３の実施形態）
次に、図７に基づいて、本発明の第３の実施形態にかかるＨＤＤについて説明する。なお、図７は、本実施形態にかかる空気循環装置を備えたＨＤＤを示す分離斜視図である。
【００６４】
図７に示すように、本実施形態にかかるＨＤＤに備えられる空気循環装置は、ディスク１２０の下部での流動空気をディスク１２０の上部に上昇させる空気上昇部材１５２と、ディスク１２０の上部での流動空気をディスク１２０の下部に下降させる空気下降部材１５６とを共に備える。空気上昇部材１５２と空気下降部材１５６とは、それぞれディスク１２０のエッジ部に隣接するようにディスク１２０の周りに少なくとも一つずつ配置される。例えば、図７に示すように、空気上昇部材１５２は、ハウジング１１０の四つのコーナー部のうち、アクチュエータ１４０から遠く離れたいずれか一つのコーナー部に配置させ、空気下降部材１５６は、ハウジング１１０の他の一つのコーナー部に配置させることができる。
【００６５】
空気上昇部材１５２および空気下降部材１５６の具体的な構成は、上述した通りであるので、これについての詳細な説明は省略する。
【００６６】
本実施形態にかかるＨＤＤにおいて、ディスク１２０の回転により発生したディスク１２０の下部の流動空気の一部は、空気上昇部材１５２の空気ガイド面１５３に沿って上昇し、上昇空気Ｆは、ディスク１２０の上部に排出される。そして、ディスク１２０の上部の流動空気の一部は、空気下降部材１５６の空気ガイド面１５７に沿って下降し、下降空気Ｆは、ディスク１２０の下部に排出される。
【００６７】
以上、第３の実施形態にかかるＨＨＤについて説明した。第３の実施形態によれば、ベース部材１１１およびカバー部材１１２に空気上昇部材１５２および空気下降部材１５６を備えることにより、ハウジング１１０の内部での空気の上下方向の循環が円滑に行われるようにすることができる。
【００６８】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６９】
例えば、本発明は、１インチまたはそれより小さな小型のＨＤＤに適用されることが望ましいが、１インチより大きい、例えば２．５インチまたは３．５インチのＨＤＤにも適用することができる。
【産業上の利用可能性】
【００７０】
本発明は、ハウジングの内部の空気をさらに円滑に循環させることによって、ハウジングの内部のパーティクルに対するフィルタリング効率および温度特性を向上させうる空気循環装置を備えたＨＤＤおよび保存装置に利用されうる。
【図面の簡単な説明】
【００７１】
【図１】本発明の第１の実施形態にかかる空気循環装置を備えたＨＤＤを示す分離斜視図である。
【図２】図１に示すＨＤＤの部分断面図である。
【図３】図１に示す空気上昇部材を拡大して示す斜視図である。
【図４Ａ】図３に示すＡ−Ａ線による空気上昇部材の断面図であって、空気ガイド面の第１の変形例を示す。
【図４Ｂ】図３に示すＡ−Ａ線による空気上昇部材の断面図であって、空気ガイド面の第２の変形例を示す。
【図４Ｃ】図３に示すＡ−Ａ線による空気上昇部材の断面図であって、空気ガイド面の第３の変形例を示す。
【図５】本発明の第２の実施形態にかかる空気循環装置を備えたＨＤＤを示す分離斜視図である。
【図６】図５に示すＨＤＤの部分断面図である。
【図７】本発明の第３の実施形態にかかる空気循環装置を備えたＨＤＤを示す分離斜視図である。
【図８】ＨＤＤ内部での空気流動についての解析結果を示す解析図であって、（ａ）は従来のＨＤＤを示し、（ｂ）は図１に示す本発明にかかるＨＤＤを示す。
【符号の説明】
【００７２】
１１０  ハウジング
１１１  ベース部材
１１２  カバー部材
１１７  呼吸フィルタ
１１８  吸着フィルタ
１１９  締結スクリュー
１２０  ディスク
１３０  スピンドルモータ
１４０  アクチュエータ
１４１  アクチュエータピボット
１４２  スイングアーム
１４３  サスペンション
１４４  スライダ
１４６  ボイスコイルモータ
１４７  ＶＣＭコイル
１４８  マグネット
１５２  空気上昇部材
１５３  空気ガイド面
１６０  印刷回路基板
１６２  回路素子
Ｆ      空気
【図１】
2007012260.tif 000003
【図２】
2007012260.tif 000004
【図３】
2007012260.tif 000005
【図４Ａ】
2007012260.tif 000006
【図４Ｂ】
2007012260.tif 000007
【図４Ｃ】
2007012260.tif 000008
【図５】
2007012260.tif 000009
【図６】
2007012260.tif 000010
【図７】
2007012260.tif 000011
【図８】
2007012260.tif 000012